(57)【要約】【課題】カ−トリッジタンクを使用した燃料供給装置に於いて、暖房器具に接近しての設置が可能なものを提供する。【解決手段】燃料補給用のカ−トリッジタンク６と、該カ−トリッジタンク６からの燃料を受ける燃料受タンク７とを内方に備え、暖房器具の燃焼部に落差で燃料を供給する燃料供給装置４に於いて、前記燃料供給装置４は該燃料供給装置４を壁或いは暖房器具或いは床に固定する固定手段１１を備え、更にこの固定手段１１によって燃料供給装置４を固定しないと燃料の供給或いは燃焼が開始出来ないようにする安全手段を備えたので、婦女子でも容易に燃料の補給作業が行えるものであり、更に転倒防止措置を必ず施すことを前提として暖房器具と燃料供給装置とを接近させての設置が可能となり、２ｍもの離間距離が必要なくなり、見た目もスッキリとして良く、設置スペ−スも少なくて済み、室内の有効利用が出来るものである。【選択図】　図２
2004101136.tif 000002
【特許請求の範囲】
【請求項１】
燃料補給用のカ−トリッジタンクと、該カ−トリッジタンクからの燃料を受ける燃料受タンクとを内方に備え、暖房器具の燃焼部に落差で燃料を供給する燃料供給装置に於いて、前記燃料供給装置は該燃料供給装置を壁或いは暖房器具或いは床に固定する固定手段を備え、更にこの固定手段によって燃料供給装置を固定しないと燃料の供給或いは燃焼が開始出来ないようにする安全手段を備えた事を特徴とする燃料供給装置。
【請求項２】
前記安全手段は、固定手段に連動するように構成とした事を特徴とする請求項１記載の燃料供給装置。
【請求項３】
前記安全手段は、固定手段を構成するスライド自在の壁固定金具と、該壁固定金具に設けられた燃料供給装置の開閉蓋を係止する係止部と、壁固定金具を常時引っ張って開閉蓋を係止させるように作用するバネ手段とから構成され、壁固定金具を壁に固定することで開閉蓋の開閉が可能となるようにした事を特徴とする請求項１及び２記載の燃料供給装置。
【発明の詳細な説明】
【０００１】
【発明の属する技術分野】
この発明は、給排気式の温風暖房器等、石油などの液体燃料を使用した室内暖房器具に液体燃料を供給する燃料供給装置に関するものである。
【０００２】
【従来の技術】
従来の別置き式の燃料供給装置では、燃料を入れておく油タンクは内容量２０〜４０リットルの比較的大型のものが使用され、又万一転倒して燃料である油が漏れても火災に至ることがないようにと言うことで、暖房器具との離間距離を２ｍ以上取ることが必要であった。（例えば、特許文献１参照。）
【０００３】
【特許文献１】
実開平５−７９２３０号公報
【０００４】
【発明が解決しようとする課題】
ところでこの従来のものでは、別置きの油タンクへの燃油の補給は、重いポリタンクを別置きの油タンクの所まで運んでいって行わなければならず、重労働であり婦女子には簡単に出来る作業ではなく、又暖房器具と燃料供給装置とが離れているので、見た目も悪く、場所を取り室内を有効に利用出来ないと言う問題点を有するものであった。
【０００５】
【課題を解決するための手段】
この発明はこの点に着目し上記欠点を解決する為、特にその構成を、燃料補給用のカ−トリッジタンクと、該カ−トリッジタンクからの燃料を受ける燃料受タンクとを内方に備え、暖房器具の燃焼部に落差で燃料を供給する燃料供給装置に於いて、前記燃料供給装置は該燃料供給装置を壁或いは暖房器具或いは床に固定する固定手段を備え、更にこの固定手段によって燃料供給装置を固定しないと燃料の供給或いは燃焼が開始出来ないようにする安全手段を備えたものである。
【０００６】
これによって、燃料を貯留するタンクを通常暖房器具収納されている内容量７〜１０リットルのカ−トリッジタンクとしたことで、婦女子でも容易に燃料の補給作業が行えるものであり、更に燃料供給装置を壁或いは暖房器具或いは床に固定しないと燃料の供給或いは燃焼が開始出来ないようにしたことで、転倒防止措置を必ず施すことを前提として暖房器具と燃料供給装置とを接近させての設置が可能となり、２ｍもの離間距離が必要なくなり、見た目もスッキリとして良く、設置スペ−スも少なくて済み、室内の有効利用が出来るものである。
【０００７】
又請求項２によれば、前記安全手段を固定手段に連動するように構成すれば、燃料供給装置を固定手段で固定すれば、自動的に燃料の供給或いは燃焼が開始可能となるので、手間がかからず極めて使用勝手が良いものである。
【０００８】
又請求項３によれば、前記安全手段は、固定手段を構成するスライド自在の壁固定金具と、該壁固定金具に設けられた燃料供給装置の開閉蓋を係止する係止部と、壁固定金具を常時引っ張って開閉蓋を係止させるように作用するバネ手段とから構成され、壁固定金具を壁に固定することで開閉蓋の開閉が可能となるようにしたものである。
【０００９】
これによって、壁固定金具をバネ手段に抗して壁に固定すれば、燃料供給装置の開閉蓋の開閉が自由に行えるようになることで、暖房器具への燃料の供給が可能となり、燃焼が開始されるもので、開閉蓋の係止及び係止解除と言う極めて簡単な構成で実現出来、安価でありながら確実に燃料の供給を阻止出来るものである。
【００１０】
【発明の実施の形態】
次にこの発明の一実施形態を図面に基づいて説明する。
１は部屋の壁を貫通した給排気筒（図示せず）を備え室内を燃焼部（図示せず）の燃焼により温風暖房する暖房器具で、正面には温風の吹出口２及び上部には操作部３を備え壁際に設置されている。
【００１１】
４は前記暖房器具１に燃料である燃油を落差で供給する燃料供給装置で、内方には開閉蓋５を開成して入出自在とする内容量７〜１０リットルのカ−トリッジタンク６と、このカ−トリッジタンク６からの燃油を一旦受ける燃料受タンク７と、該燃料受タンク７の底部に開閉コック８を介して一端を連結し、他端を暖房器具１の定油面器（図示せず）に接続したゴムホ−スから成る送油パイプ９と、前記燃料受タンク７と定油面器との落差を設ける為に該燃料受タンク７を高い位置に固定する支持枠１０とが備えられている。
【００１２】
１１は燃料供給装置４の両側内面に備えられ固定手段を構成する一対の壁固定金具で、Ｌ字状に屈曲させた先端を固定部１２として燃料供給装置４背面に突出させ、取り付け板１３によってスライド自在に取り付けられて壁までの距離に応じて長さ調節され、固定部１２を固定ネジ１４で確実に壁に固定するものである。
【００１３】
１５は壁固定金具１１と連動する安全手段で、壁固定金具１１の上部に突設された逆Ｌ字状の係止部１６と、この係止部１６と壁固定金具１１を壁に固定しない状態では係合して開閉蓋５の開成を禁止する該開閉蓋５裏面に形成された係合部１７と、壁固定金具１１を常時係止部１６と係合部１７が係合するように引っ張るバネ手段１８とから構成されており、壁固定金具１１をバネ手段１８に抗してスライドさせ壁に固定することで、係止部１６と係合部１７との係合が外れ安全手段１５が解除されるので、開閉蓋５の開閉が可能となってカ−トリッジタンク６の出し入れが自由に行われて燃油の供給が開始されるものである。
【００１４】
１９は壁固定金具１１の他端に形成された器具固定用穴で、燃料供給装置４を壁ではなく暖房器具１に固定する時に使用するもので、左右どちら側に暖房器具１が位置しても良いように両方の壁固定金具１１に形成されており、壁固定金具１１をバネ手段１８に抗してスライドさせ係止部１６と係合部１７との係合が外れた位置で、器具固定用穴１９と対向する燃料供給装置４側壁上部には横長スリット２０が設けられ、予め外された暖房器具１側面上部のネジ（図示せず）を器具固定用穴１９側からネジ込むことで、燃料供給装置４が暖房器具１に固定されるものである。
【００１５】
２１は開閉コック８を開閉する為の操作扉、２２はカ−トリッジタンク６内の燃油量を確認する為の油量計窓、２３は送油パイプ９を左右どちらからでも取り出せるように両側に備えられた取り出し口である。
【００１６】
次にこの発明一実施例の作動について説明する。
今燃料供給装置３を設置するにあたり、先ず送油パイプ９の他端を暖房器具１の定油面器に接続した後、燃料供給装置４を暖房器具１の直ぐ隣に置いた状態で、壁固定金具１１をバネ手段１８に抗して引っ張り出し壁に当接した所で固定部１２を固定ネジ１４で壁に固定し、これを左右両側とも行えば壁固定金具１１の固定は完了するものである。
【００１７】
そしてこの壁固定金具１１の固定によって、安全手段１５である係止部１６と係合部１７との係合が外れることで、開閉蓋５の開閉が可能となり、カ−トリッジタンク６に補給をして開閉コック８を開口側に回せば、燃油の供給が開始され暖房器具１の燃焼が可能と成るものである。
【００１８】
更に暖房器具１の燃焼によってカ−トリッジタンク６内の燃油が無くなれば、従来の器具内に収納されているものと同じく、カ−トリッジタンク６を取り出して給油場所まで持ち運んで補給することが出来、重いポリタンクを持って来ての補給でないので、力のない婦女子でも容易に燃油の補給が出来、極めて使用勝手が良いものである。
【００１９】
又燃料供給装置４の転倒防止処置を施したことを前提として、暖房器具１に近接して燃料供給装置４を設置出来るので、極めて安全であり安心して使用出来るものであり、見た目もスッキリとして良く、場所を取らず室内スペ−スの有効利用が図られるものであり、逆に言えば、転倒防止処置を施さなければ燃油の供給が行われないので、燃料供給装置４の固定が確実に行われるものである。
【００２０】
更に設置条件によっては、暖房器具１に接近しての設置が出来ない場合には、従来と同じように離しての設置も勿論可能であり、良好な使用が出来るものである。
尚、この実施例では、壁固定金具１１を一対設けたが、片側一つでも良く、同様な効果を得られるものである。
【００２１】
又ここでは、固定手段である壁固定金具１１に安全手段１５が連動して開閉蓋４の開閉を規制することで、確実な作動を実現したが、安全手段１５はこの構成に限定されることなく、例えば壁固定金具１１で開閉コック７のロック及びロック解除を行うようにしても良いものであり、種々考えられるものである。
【００２２】
【発明の効果】
以上のようにこの発明によれば、燃料を貯留するタンクを通常暖房器具収納されている内容量７〜１０リットルのカ−トリッジタンクとしたことで、婦女子でも容易に燃料の補給作業が行えるものであり、更に燃料供給装置を壁或いは暖房器具或いは床に固定しないと燃料の供給或いは燃焼が開始出来ないようにしたことで、転倒防止措置を必ず施すことを前提として暖房器具と燃料供給装置とを接近させての設置が可能となり、２ｍもの離間距離が必要なくなり、見た目もスッキリとして良く、設置スペ−スも少なくて済み、室内の有効利用が出来るものである。
【００２３】
又請求項２によれば、前記安全手段を固定手段に連動するように構成すれば、燃料供給装置を固定手段で固定すれば、自動的に燃料の供給或いは燃焼が開始可能となるので、手間がかからず極めて使用勝手が良いものである。
【００２４】
又請求項３によれば、壁固定金具をバネ手段に抗して壁に固定すれば、燃料供給装置の開閉蓋の開閉が自由に行えるようになることで、暖房器具への燃料の供給が可能となり、燃焼が開始されるもので、開閉蓋の係止及び係止解除と言う極めて簡単な構成で実現出来、安価でありながら確実に燃料の供給を阻止出来るものである。
【図面の簡単な説明】
【図１】この発明の一実施例による燃料供給装置と暖房器具との使用状態の一例を示す斜視図である。
【図２】同燃料供給装置の分解斜視図。
【図３】同固定手段と安全手段を示す説明図
【図４】同固定手段と安全手段の斜視図。
【符号の説明】
１　暖房器具
４　燃料供給装置
５　開閉蓋
６　カ−トリッジタンク
７　燃料受タンク
１１　壁固定金具（固定手段）
１５　安全手段
１６　係止部
１７　係合部
１８　バネ手段
【図１】
2004101136.tif 000003
【図２】
2004101136.tif 000004
【図３】
2004101136.tif 000005
【図４】
2004101136.tif 000006